(57)【要約】【課題】電柱や灯柱、門柱等の立設体に設けられて上部から照明光を供給する照明灯装置において、光源や自動点滅器の取り換え作業を容易に行なえるようにする。【解決手段】立設体２の上部に設けられた照明光放射部４と、立設体２の照明光放射部４よりも下方に設けられた収納箱５と、周囲の光を取込むための採光部９と、収納箱５に収納されて外部から供給される電源により光を生成し発光させる光源部６と、収納箱５に収納されて光源部６からの光を遮光した空間に配設されると共に検出された照度に応じて光源部６の発光をON/OFFさせる自動点滅器８と、光源部６から発光される光を照明光放射部４に伝達する第１の光伝達手段と、採光部９によって取込まれた光を自動点滅器８に伝達する第２の光伝達手段とを具備する。【選択図】        図１
2011049076.tif 000002
【特許請求の範囲】
【請求項１】
立設体の上部から光を照射させる照明灯装置において、
前記立設体の上部に設けられて下方へ照明光を放射する照明光放射部と、
前記照明光放射部よりも下方に設けられた収納箱と、
周囲の光を取込むための採光部と、
前記収納箱に収納されて外部から供給される電源により光を生成し発光させる光源部と、
前記収納箱に収納されて前記光源部からの光を遮光した空間に配設されると共に検出された照度に応じて前記光源部の発光をON/OFFさせる自動点滅器と、
前記光源部から発光される光を前記照明光放射部に伝達する第１の光伝達手段と、
前記採光部によって取込まれた光を前記自動点滅器に伝達する第２の光伝達手段と、
を具備することを特徴とする照明灯装置。
【請求項２】
前記第１の光伝達手段は、前記光源部から発光された光を集約させる集約機構と、この集約機構を介して集約された光を伝達させる第１の光ファイバケーブルとを有して構成され、
前記照明光放射部は、前記光ファイバケーブルを介して伝達された光を拡散させる拡散機構と、この拡散機構により拡散された光を下方へ向ける放射方向制御機構とを有して構成され、
前記第２の光伝達手段は、前記採光部によって取込まれた光を前記自動点滅器に伝達させる第２の光ファイバケーブルを有して構成される
ことを特徴とする請求項１記載の照明灯装置。
【請求項３】
前記第１の光伝達手段は、前記光源部から発光された光を上方へ導く第１の反射機構と、前記第１の反射機構により上方へ導かれた光を前記照明光放射部へ導く第２の反射機構とを有して構成され、
前記照明光放射部は、前記第２の反射機構を介して導かれた光を下方へ向ける放射方向制御機構を有して構成され、
前記第２の光伝達手段は、前記採光部で取込まれた光を下方へ導く第３の反射機構と、前記第３の反射機構により下方へ導かれた光を前記自動点滅器へ導く第４の反射機構とを有して構成される
ことを特徴とする請求項１記載の照明灯装置。
【請求項４】
前記収納箱は前記立設体または地中に埋設されることを特徴とする請求項１記載の照明灯装置。
【請求項５】
前記収納箱又は前記採光部は、前記照明光放射部を設けた立設体とは異なる他の立設体に設けられることを特徴とする請求項１記載の照明灯装置。
【発明の詳細な説明】
【技術分野】
【０００１】
本発明は、電柱や灯柱、門柱等の立設体に設けられて照明光を供給する照明灯装置に関し、より具体的には、立設体の上部から照明光を供給する構成において、光源や自動点滅器の取り換え作業を容易に行うことが可能な照明灯装置に関する。
【背景技術】
【０００２】
街路の照明設備である街路灯や防犯灯などは、電柱や灯柱などの上部に光源となる光源ランプが取り付けられたものであり、夜間に点灯させ、日中に消灯させるために、周囲の明るさを感知して自動的に光源ランプを点灯・消灯させる自動点滅器が設けられている。
このような街路灯や防犯灯などの管球切れや自動点滅器不良が発生すると、これらを取り換える作業が必要となるが、このような取替作業は、電柱に昇ったり、梯子や高所作業車を利用して高所で行われる。
【０００３】
このため、このような取替え作業を街路灯や防犯灯を管理する自治会等の管理者に委ねる場合には、管理者にとって大きな負担となり、また、高所での作業であるため危険を伴うことになる。特に配電線や変圧器等の充電部が近接している箇所においては、専門的な技量が必要となり、細心の注意を払う必要がある。
したがって、街路灯や防犯灯の管理者（自治会の会員）が自ら取替え作業を実施することは一般に困難であるため、専門の工事会社に取替え作業を依頼する必要があり、多くの費用が発生する不都合がある。
【０００４】
このような不都合を回避するためには、下記する特許文献１に示されるように、光を生成し出力する光源部と、この光源部から出力された光を使用者に伝達する光伝達手段と、この光伝達手段によって伝達された光を空間に放射する照明光放射部とを具備する照明光供給システムを用い、光源部のランプを照明光放射部とは別の箇所で交換可能とする構成を採用することが有効である。
【先行技術文献】
【特許文献】
【０００５】
【特許文献１】特開平２００３−７１０２号公報
【発明の概要】
【発明が解決しようとする課題】
【０００６】
しかしながら、上述した照明光供給システムは、照明光を供給する構成としては望ましいが、街路灯や防犯灯のように、周囲の明るさを感知して個別に照明を点灯・消灯させる場合には、自動点滅器を照明灯毎に設ける必要があるため、自動点滅器不良が発生した場合には、照明灯毎に従前と同様の高所での取替え作業が必要となる不都合がある。また、外灯においては、屋内の電灯とは異なり設置間隔が長いため、複数の外灯に対して光源を共有する構成はなじまない。
【０００７】
本発明は係る事情に鑑みてなされたものであり、電柱や灯柱等の立設体に設けられて上部から照明光を供給する装置において、光源や自動点滅器の取り換え作業を容易に行うことが可能な照明灯装置を提供することを主たる課題としている。
【課題を解決するための手段】
【０００８】
上記課題を達成するために、本発明に係る照明灯装置は、立設体の上部から光を照射させる照明灯装置であって、前記立設体の上部に設けられて下方へ照明光を放射する照明光放射部と、前記照明光放射部よりも下方に設けられた収納箱と、周囲の光を取込むための採光部と、前記収納箱に収納されて外部から供給される電源により光を生成し発光させる光源部と、前記収納箱に収納されて前記光源部からの光を遮光した空間に配設されると共に検出された照度に応じて前記光源部の発光をON/OFFさせる自動点滅器と、前記光源部から発光される光を前記照明光放射部に伝達する第１の光伝達手段と、  前記採光部によって取込まれた光を前記自動点滅器に伝達する第２の光伝達手段と、を具備することを特徴としている。
【０００９】
したがって、収納箱には光源部の他に自動点滅器が収納されているので、管球切れや自動点滅器不良の際には、収納箱内の光源部や自動点滅器を交換すれば取り換え作業は完了するので、照明光放射部が設けられた高所での作業が不要となる。
【００１０】
ここで、第１の光伝達手段を、前記光源部から発光された光を集約させる集約機構と、この集約機構を介して集約された光を伝達させる光ファイバケーブルとを有して構成し、  前記照明光放射部を、前記光ファイバケーブルを介して伝達された光を拡散させる拡散機構と、この拡散機構により拡散された光を下方へ向ける放射方向制御機構とを有して構成し、第２の光伝達手段を、前記採光部によって取込まれた光を前記自動点滅器に伝達させる第２の光ファイバケーブルを有して構成するようにしてもよい。
このような構成において、集約機構は、凹面鏡や、凸レンズ、凹レンズ等を用いて構成し、また、拡散機構は、凹レンズや凸面鏡等を用いて構成し、放射方向制御機構は凸レンズや凹面鏡等を用いて構成してもよい。また、上述の構成において、十分な光量を得るために、前記集約機構や光ファイバケーブル、拡散機構、放射方向制御機構をそれぞれ複数設けるようにしてもよい。
【００１１】
また、第１の光伝達手段を、前記光源部から発光された光を上方へ導く第１の反射機構と、前記第１の反射機構により上方へ導かれた光を前記照明光放射部へ導く第２の反射機構とを有して構成し、前記照明光放射部を、前記第２の反射機構を介して導かれた光を下方へ向ける放射方向制御機構を有して構成し、前記第２の光伝達手段を、前記採光部で取込まれた光を下方へ導く第３の反射機構と、前記第３の反射機構により下方へ導かれた光を前記自動点滅器へ導く第４の反射機構とを有して構成するようにしてもよい。
このような構成において、第１乃至第４の反射機構及び放射方向制御機構は、反射鏡を単独又は組み合わせて構成することができるので、光ファイバケーブルを不要にして構成を簡素化することが可能となる。
【００１２】
尚、以上の構成において、収納箱の設置位置に制限がある場合には、収納箱を立設体または地中に埋設するようにしてもよい。また、第１及び第２の光伝達手段は、立設体の外側に設けるようにしても、内側に設けるようにしてもよい。また、前記収納箱や採光部は、前記照明光放射部を設けた立設体とは異なる他の立設体に設けるようにしてもよい。
【発明の効果】
【００１３】
以上述べたように、本発明によれば、立設体の上部に照明光放射部を設け、立設体の照明光放射部よりも下方に設けられた収納箱に、光を生成し発光させる光源部と検出された照度に応じて光源部の発光をON/OFFさせる自動点滅器とを収納し、光源部から発光される光を第１の光伝達手段によって照明光放射部に伝達し、採光部によって取込まれた光を第２の光伝達手段によって自動点滅器に伝達するようにしたので、収納箱を作業しやすい箇所に置くことで、光源や自動点滅器の取り換え作業を容易に行うことが可能となる。また、低所での作業が可能になるため、安全に作業を行うことが可能となる。
【図面の簡単な説明】
【００１４】
【図１】図１は、本発明に係る照明灯装置を電柱等の立設体に設けられた外灯に適用した例を示す全体構成図である。
【図２】図２は、図１に示す光源部から発光させた光を集約して光ファイバケーブルに導く集約機構の例を示す図である。
【図３】図３は、図１に示す光源部から発光させた光を集約して光ファイバケーブルに導く集約機構の他の例を示す図である。
【図４】図４は、光ファイバケーブルを介して伝達された光を放射させる照明光放射部の例を示す図であり、拡散機構として凹面レンズを用い、放射方向制御機構として凸レンズを用いた場合を示す。
【図５】図５は、光ファイバケーブルを介して伝達された光を放射させる照明光放射部の他の例を示す図であり、拡散機構として凸面鏡を用い、放射方向制御機構として凹面鏡を用いた場合を示す。
【図６】図６は、光ファイバケーブルを介して伝達された光を放射させる照明光放射部のさらに他の例を示す図である。
【図７】図７は、周囲の光を取込むための採光部の構成を説明する図であり、（ａ）は採光部が設けられている近辺を示す図であり、（ｂ）は採光部の構成を示す拡大図である。
【図８】図８は、光源部と自動点滅器とが収納された収納箱を示す図である。
【図９】図９は、本発明に係る照明灯装置の他の構成例を示す図である。
【図１０】図１０は、収納箱の設置位置を変更した例であり、（ａ）は地中に収納箱を埋設した例を示す図であり、（ｂ）は立設体に収納箱を埋設した例を示す図である。
【図１１】図１１は、光源部および自動点滅器が収納された収納箱を照明光放射部を設けた立設体とは別の立設体に設けた例を示す図である。
【図１２】図１２は、採光部を照明光放射部を設けた立設体とは別の立設体に設けた例を示す図である。
【発明を実施するための形態】
【００１５】
以下、本発明の最良の実施形態を添付図面を参照しながら説明する。
【００１６】
図１において、本発明に係る照明灯装置１を電柱又は灯柱等の立設体２に設けた外灯に適用した構成例が示されている。この照明灯装置１は、立設体上部の腕金３に固定されて光を下方に向けて放射させる照明光放射部４と、この照明光放射部４よりも下方の位置に設けられた収納箱５と、この収納箱５に収納されて外部から供給される電源により光を生成し発光させる光源部６と、前記収納箱５に収納されて前記光源部６からの光を遮光した密閉空間７に配設されると共に検出された照度に応じて光源部６の発光をON/OFFさせる自動点滅器８と、立設体２の周囲の光を取込むための採光部９と、光源部６から発光される光を照明光放射部４に伝達する第１の光ファイバケーブル１１と、採光部９で採光された光を自動点滅器８に伝達する第２の光ファイバケーブル１２とを有して構成されている。
【００１７】
収納箱５は、この例においては、地面から約１．５ｍの高さに結束バンドなどによって立設体２の側面に固定され、図示しない開閉扉を有し、この開閉扉を開けると光源部６や自動点滅器８にアクセスできるようになっている。
【００１８】
光源部６は、立設体２に沿って設けられた樹脂管を通って下方へ導かれる電源線１３を介して供給される電源により、図示しない点灯回路によって光を発生させるもので、メタルハライドランプや高圧水銀ランプといった高圧放電ランプ、或いは、無電極放電ランプ、蛍光ランプ、白熱電球等を利用することが可能である。この光源部６は、図２に示されるように、凹面状の反射鏡（リフレクタ）１５の内側に取り付けられており、光源部６から発光された光を、直接又は反射鏡１５で反射させてこの反射鏡と対峙する凸レンズ１６へ導き、この凸レンズ１６で集光させて、第１の光ファイバケーブル１１との間に配置された凹レンズ１７で平行光にして第１の光ファイバケーブル１１の端面に対して垂直に入光させるようにしている。この反射鏡１５、凸レンズ１６、及び凹レンズ１７により光源部６から発光された光を集約させて第１の光ファイバケーブルに導く集約機構が構成されている。
【００１９】
尚、集約機構や第１の光ファイバケーブルは、一組あればよいが、十分に光量が得られない場合には、図３に示されるように、光源部６に対峙させる凸レンズ１６とこれに対峙する凹レンズ１７及び光ファイバケーブル１１を光源部６の側面に９０度の間隔で４箇所に設け、さらに、光源部６の上方にも配設して、最大で５箇所（５面）から集光させるようにしてもよい。
【００２０】
以上の集約機構を介して集約された光は、第１の光ファイバケーブル１１を介して外灯の器具本体１９内に設けられた照明光放射部４まで伝送される。この第１の光ファイバケーブル１１は、この例では、立設体の側面に沿って取り付けられた樹脂管を通して器具本体１９内の照明光放射部４まで導き、図４に示すように、先端部を下方に向けて凹レンズ２０と対峙させ、第１の光ファイバケーブル１１から放出された光を凹レンズ２０を介して拡散させるようにしている。その後、凸レンズ２１を通過させ、平行光にして下方へ放射させるようにしている。
この凹レンズ２０により、第１の光ファイバケーブルから出力された光を拡散させる拡散機構が構成され、また、凸レンズ２１により、拡散された光を下方へ向ける放射方向制御機構が構成されている。
【００２１】
また、他の例としては、図５に示すように、第１の光ファイバケーブル１１の先端を下方に向けて凸面鏡２２と対峙させ、また、凸面鏡２２の周囲を覆うように所定の間隔をあけて凹面鏡２３を下方に向けて配設し、第１の光ファイバケーブル１１から放出された光を凸面鏡２２で反射させて拡散させ、その後、この拡散した光を凹面鏡２３でさらに反射させて平行光として下方へ放射させるようにしてもよい。
この例においては、凸面鏡２２により、第１の光ファイバケーブル１１から出力された光を拡散させる拡散機構が構成され、また、凹面鏡２３により、拡散された光を下方へ向ける放射方向制御機構が構成されている。
【００２２】
尚、拡散機構（凹レンズ２０又は凸面鏡２２）や凸レンズ２１又は凹面鏡２３は、一組あればよいが、十分に光量が得られない場合には、例えば、図６に示されるように、第１の光ファイバケーブル１１の数に合わせて、凹レンズ２０（又は、凸面鏡２２）や凸レンズ２１（又は、凹面鏡２３）を並設させるようにしてもよい。また、上記凸レンズ２１や凹面鏡２３を回動可能、変位可能とし、光の放射方向や放射範囲を変更するようにしてもよい。
【００２３】
立設体２の周囲の明るさを取込む採光部９は、図７に示されるように、外灯の器具本体１９の背後、即ち、照明光放射部４からの光による影響がない位置に取り付けられ、例えば、第２の光ファイバケーブル１２の先端部に魚眼レンズやフレネルレンズ等で構成された採光レンズ２５を設け、この採光レンズ２５の周囲を半透明のカバー２６で覆って直射日光が当たらないようにすると共に採光レンズ２５が汚れないように構成されている。
【００２４】
そして、この採光部９で採光された光は、第２の光ファイバケーブル１２を介して収納箱５内に設けられた密閉空間７内の自動点滅器８の受光部８ａへ導かれるようになっている。この第２の光ファイバケーブル１２は、この例では、立設体の側面に沿って取り付けられた樹脂管を通して収納箱内の密閉空間７まで導かれ、先端部を、自動点滅器８の受光部８ａに直接対峙させている。尚、第２の光ファイバケーブル１２の先端部を図示しないレンズ等を介して対峙させるようにしてもよい。
【００２５】
したがって、立設体２の周囲の明るさが所定の照度より小さくなると、採光部９で取込まれる光が少なくなり、第２の光ファイバケーブル１２を介して自動点滅器８へ伝達される光量が少なくなるので、自動点滅器８が作動して光源部６への通電が開始され、光源部６が発光する。このため、光源部６から発光した光が集約機構を介して第１の光ファイバケーブル１１の端面に対して垂直に入射し、この第１の光ファイバケーブル１１を伝搬して器具本体１９内の照明光放射部４へ導かれる。そして、第１の光ファイバケーブル１１の端面から放出された光は、これと対峙する凹レンズ２０（又は、凸面鏡２２）によって拡散され、その後、凸レンズ２１（又は、凹面鏡２３）で平行光にされて下方へ放射される。また、立設体２の周囲の明るさが所定の照度以上になると、第２の光ファイバケーブル１２を介して自動点滅器８へ伝達される光量が多くなるので、光源部６への通電が遮断され、光源部６は消灯して照明光放射部４からの放射光は無くなる。
【００２６】
したがって、このような照明灯装置１によれば、光源部６と自動点滅器８とが立設体２の下部に設けられた収納箱５に収納されているので、光源部６や自動点滅器８の故障で取替えが必要になった場合には、収納箱５の開閉扉を開けて光源部６や自動点滅器８を取り換えればよい。このため、光源部６や自動点滅器８の取り換え作業を容易に行うことが可能となり、作業者による負担がなくなり、また、高所での作業が不要になるため、落下する危険も無く安全に作業を行うことが可能となる。
【００２７】
尚、上述の構成においては、第１及び第２の光ファイバケーブル１１，１２を立設体２の外側に配した例を示したが、立設体２が中空の構造のものであれば、その内部を通すようにしてもよい。また、上述の例では、立設体２として電柱や灯柱、門柱のような設置柱に適用した例を示したが、門壁等の立設体に設けられた電灯に対しても同様の構成を採用してもよい。
【００２８】
図９において、照明灯装置１の他の構成例が示されている。この例においては、光ファイバを利用する代わりに、反射鏡のみを利用して光路を形成し、光源部６からの光を照明光放射部４へ導くようにし、また、採光部９で取込まれた光も収納箱５の密閉空間７に配置された自動点滅器８へ導くようにしている。
【００２９】
具体的には、立設体２の内部に上下方向に延設されると共に上下が側方に開口された第１の側路３１と、第１の側路３１に隣接して上下方向に延設されると共に上下が側方に開口された第２の側路３５とを形成し、光源部６から発光した光を、凹面鏡３０で反射させて立設体２の内部の第１の側路３１の下部へ導き、この第１の側路３１の下部に配置された第１の反射鏡３２で光源部６からの光を反射させて（光路を約９０度変更させて）上方へ導き、第１の側路３１の上部に配置された第２の反射鏡３３で下方から伝達された光を反射させて（光路を約９０度変更させて）照明光放射部４へ導くようにしている。
【００３０】
この例において、照明光放射部４は、外灯の器具本体１９内に光路に沿って位置をずらして配置された複数のリフレクタ３４によって構成され、第２の反射鏡３３で反射された光を反射させて、下方へ放射させるようにしている。ここで、リフレクタ３４は、平面鏡で構成するようにしても、凸面鏡や凹面鏡で構成するようにしてもよく、また、上下、左右に回動制御して光の放射方向を変更できるようにしてもよい。
【００３１】
また、採光部９から取込んだ光を、第２の側路３５の上部へ導き、この第２の側路３５の上部に配置された第３の反射鏡３６で採光部９からの光を反射させて（光路を約９０度変更させて）下方へ導き、第２の側路３５の下部に配置された第４の反射鏡３７で上方からの光を反射させて（光路を約９０度変更させて）収納箱５の自動点滅器８の受光部８ａへ導くようにしている。
このような構成においては、光ファイバケーブルの引き回しが不要となるため、構造の簡素化が図れ、廉価に照明灯装置１を構築することが可能となる。
【００３２】
尚、以上の構成においては、収納箱５を立設体（電柱や灯柱）２の外側に取り付けた例を示したが、取り付け箇所に規制がある場合や設置箇所がぶつかりやすい危険な位置である場合等には、図１０（ａ）に示されるように、収納箱５を地中に埋設するようにしても、図１０（ｂ）に示されるように、収納箱５を立設体２の内部に埋設するようにしてもよい。
【００３３】
さらに、上述の構成においては、１つ立設体２に、照明光放射部４と、光源部６および自動点滅器８が収納された収納箱５と、採光部９とを設けた例を示したが、安全性の確保が困難である等の理由から、照明光放射部４が取り付けられている立設体２に光源部６や自動点滅器８を収納する収納箱５の取り付けができない場合や、宅地内や雑草が生い茂った法面などに立設されているため、立設体２までの進入が困難な場合は、図１１に示すように、隣接する立設体２’に第１及び第２の光ファイバケーブル１１，１２を架設し、隣接する立設体２’の下部に収納箱５を設けるようにしてもよい。
【００３４】
また、立設体２が高架橋の下や樹木の繁った中にあり、昼間でも暗いような場合においては、昼間の点灯を防ぐために、図１２に示すように、採光部９だけを別の立設体２’に取り付け、立設体間に第２の光ファイバケーブル１２を架設して採光部９から取込んだ光をこの第２の光ファイバケーブル１２を介して照明光放射部４を設けた立設体２下部の収納箱５に伝達するようにしてもよい。
【符号の説明】
【００３５】
１  照明灯装置
２，２’  立設体
４  照明光放射部
５  収納箱
６  光源部
７  密閉空間
８  自動点滅器
９  採光部
１１  第１の光ファイバケーブル
１２  第２の光ファイバケーブル
１６  凸レンズ
１７  凹レンズ
２０  凹レンズ
２１  凸レンズ
２２  凸面鏡
２３  凹面鏡
３２  第１の反射鏡
３３  第２の反射鏡
３４  リフレクタ
３６  第３の反射鏡
３７  第４の反射鏡
【図１】
2011049076.tif 000003
【図２】
2011049076.tif 000004
【図３】
2011049076.tif 000005
【図４】
2011049076.tif 000006
【図５】
2011049076.tif 000007
【図６】
2011049076.tif 000008
【図７】
2011049076.tif 000009
【図８】
2011049076.tif 000010
【図９】
2011049076.tif 000011
【図１０】
2011049076.tif 000012
【図１１】
2011049076.tif 000013
【図１２】
2011049076.tif 000014